(57)【要約】      （修正有）【課題】防犯ブザーや好みのキーホルダー、マスコットを容易に掛止可能であるとともに、コストもかからず、更に、防犯ブザー等を掛止していない場合に邪魔になることもないＤ型の環体を装着した背負い鞄の肩ベルトを提供すること。【解決手段】表地（３）と、該表地（３）の裏面に貼り合わせた裏地（４）と、前記表地（３）と裏地（４）間の任意の箇所に挿装したスポンジ等のクッション材（５）と、を具備するベルト本体（２）と、該ベルト本体（２）の上端に装着した連結具（８）と、前記表地（３）と裏地（４）間における任意の箇所に、ベルト本体の長手方向と直交する方向又は同一の方向に向けて挿装した１個又は複数個の中空のパイプ材（６）と、前記パイプ材（６）を貫通する形態で前記ベルト本体（２）に装着した、直線部と該直線部の両端部を略円弧状に連結して全体を略Ｄ型とした環体（７）と、を備えた。【選択図】図１
0003114386.tif 000002
【実用新案登録請求の範囲】
【請求項１】
表地（３）と、該表地（３）の裏面に貼り合わせた裏地（４）と、前記表地（３）と裏地（４）間の任意の箇所に挿装したスポンジ等のクッション材（５）と、を具備するベルト本体（２）と、
該ベルト本体（２）の上端に装着した連結具（８）と、
前記表地（３）と裏地（４）間における任意の箇所に挿装した中空のパイプ材（６）と、
前記パイプ材（６）を貫通する形態で前記ベルト本体（２）に装着した、直線部（７０１）と該直線部（７０１）の両端部を略円弧状に連結して全体を略Ｄ型とした環体（７）と、を備えたことを特徴とする背負い鞄の肩ベルト。
【請求項２】
前記パイプ材（６）をベルト本体（２）の長手方向と直交する方向に向けて挿装したことを特徴とする請求項１に記載の背負い鞄の肩ベルト。
【請求項３】
前記パイプ材（６）をベルト本体（２）の長手方向と同一方向に向けて挿装したことを特徴とする請求項１に記載の背負い鞄の肩ベルト。
【請求項４】
前記パイプ材（６）及び環体（７）を複数個備えたことを特徴とする請求項１乃至請求項３のいずれかに記載の背負い鞄の肩ベルト。
【考案の詳細な説明】
【技術分野】
【０００１】
本考案は、背負い鞄の肩ベルトに係り、より詳しくは、パイプ材を介して、略Ｄ型とした環体を装着した背負い鞄の肩ベルトに関する。
【背景技術】
【０００２】
近年の防犯意識の高まりにより、防犯ブザー等を携行することが奨励されており、特に小学生等においては、防犯ブザーを支給するとともに、通学途中での防犯ブザーの携行が義務付けられることが多くなっている。
【０００３】
しかしながら、防犯ブザーを首から吊るした場合には、取り外しが面倒であり、また場合によっては紐が首に巻き付いてしまい危険が伴う。
【０００４】
その一方、バッグ等に収納したのでは、緊急事態に対応できなくなるおそれも十分に考えられる。
【０００５】
そのため、従来において、このような防犯ブザーを取り付けるための手段を備えたランドセル等が提案されており、これらは、防犯ブザー等を収容可能としたポシェットや小袋等の収容体をランドセルの本体やベルトに装着する方法を採用している。
【０００６】
しかし、収容体を用いた場合には、収容体への収容や収容体からの取り出しが面倒であり、また、収容体を製造するためのコストも必要となってしまい、更に、収容体に収容可能な形状寸法とした防犯ブザーのみしか収容できないという問題点がある。
【０００７】
また、一般的に、キーホルダーや小さいマスコット等をランドセル等に吊り下げることが行われており、例えばこれらをランドセル等のなす環等に吊り下げることが行われるが、なす環は本来、給食袋や上履き入れ等を吊り下げるべきものであるために、このなす環にキーホルダーやマスコットを吊り下げた場合には、本来吊り下げるべき給食袋等を吊り下げる空間が少なくなってしまうという問題点も考えられる。
【特許文献１】特開平１１−７５９２４号公報
【特許文献２】実開平１−１２６１１０号公報
【特許文献３】登録第３０４８８０１号実用新案公報
【特許文献４】登録第３１０５２１８号実用新案公報
【考案の開示】
【考案が解決しようとする課題】
【０００８】
そこで、本考案は、防犯ブザーや好みのキーホルダー、マスコットを容易に掛止可能であるとともに、コストもかからず、更に、防犯ブザー等を掛止していない場合に邪魔になることもないＤ型の環体を装着した背負い鞄の肩ベルトを提供することを課題としている。
【課題を解決するための手段】
【０００９】
本考案の背負い鞄の肩ベルトは、表地と、該表地に貼り合わせた裏地と、前記表地と裏地間の任意の箇所に挿装したスポンジ等のクッション材と、を具備するベルト本体と、該ベルト本体の上端に装着した、ベルト本体を鞄に連結するための連結具と、前記表地と裏地間における任意の箇所に挿装した中空のパイプ材と、該パイプ材を貫通する形態で前記ベルト本体に装着した、直線部と該直線部の両端部を略円弧状に連結して全体を略Ｄ型とした環体と、を備えたことを特徴としている。
【考案の効果】
【００１０】
本考案の背負い鞄の肩ベルトでは、肩ベルト内に中空のパイプ材を挿装し、このパイプ材を貫通しつつ、直線部と該直線部の両端部を略円弧状に連結して全体を略Ｄ型とした環体を、前記ベルト本体に装着しており、これにより、Ｄ型とした環体を介して、肩ベルトに防犯ブザー、キーホルダー、マスコット等を吊り下げることを可能としている。
【００１１】
従って、本考案によれば、防犯ブザー、キーホルダー、マスコットを容易に掛止することができるとともに、防犯ブザー等を収容可能としたポシェット等の収容体をランドセルの本体等に装着する場合と比較して、コストを抑えることも可能であり、更に、防犯ブザー等を掛止していない場合に環体が邪魔になることもない。
【考案を実施するための最良の形態】
【００１２】
本考案の背負い鞄の肩ベルトでは、表地と裏地と互いにを貼りあわせるとともに、表地と裏地の間における任意の箇所にスポンジ等のクッション材を挿装し、これによりベルト本体を構成しており、このベルト本体の上端には、ベルト本体を鞄に装着するための連結具を装着している。
【００１３】
また、前記表地と裏地間における任意の箇所には中空のパイプ材を挿装しており、このパイプ材を貫通する配置において、直線部と該直線部の両端部を略円弧状に連結して全体を略Ｄ型とした環体を、ベルト本体に装着している。
【００１４】
ここで、前記パイプ材及びこのパイプ材を介してベルト本体に係止したＤ型の環体をそれぞれ複数個にしてもよく、これによれば、複数個の防犯ブザー等を同一の肩ベルトに係止することが可能となる。
【００１５】
また、パイプ材の挿装方向としては、ベルト本体の長手方向と直交する方向、又はベルト本体の長手方向と同一方向が考えられ、いずれの方向に向けて挿装してもよい。
【実施例１】
【００１６】
本考案の背負い鞄の肩ベルト（以下単に「肩ベルト」という。）の実施例について図面を参照して説明すると、図１は本実施例の肩ベルトを示す図であり、また図２は図１におけるＡ−Ａ線断面図であり、図において１が本実施例の肩ベルトである。
【００１７】
そして、本実施例の肩ベルト１は、表地３と、この表地３の裏面に貼り合わせた裏地４と、表地３と裏地４の間における上方部分近傍に挿装したスポンジ等のクッション材によりベルト本体２が形成されている。
【００１８】
ここで、前記表地３について説明すると、本実施例において前記表地３は、正面視野において幅広にするとともに僅かに変形させた形状の細長としており、約上半分部分を構成する本体部３０１と、この本体部３０１の下端部分に連設された、背負い鞄の下ベルトに連結される連結部３０２とを有している。
【００１９】
そして、この表地３の裏面には、表地３とほぼ同一の形状寸法とした裏地４が縫製により縫いつけられており、表地３の本体部３０１における上端部近傍部分と下端部近傍部分を除いた部分と裏地４との間には、スポンジ等のクッション材５が介在されている。
【００２０】
なお、図において８は、肩ベルト１の上端を背負い鞄に連結させるために用いる連結部であり、また、図において３０３は、肩ベルト１を背負い鞄に連結する際に用いるベルト孔であり、さらに、図において９は、表地３と裏地４とを連結しているビスである。
【００２１】
次に、図において６はパイプ材であり、本実施例における肩ベルト１においては、本体部３０１とクッション材４との間における任意の箇所に、パイプ材５を、肩ベルト１の長手方向に直交する方向に向けて挿装している。即ち、本実施例における肩ベルト１では、本体部３０１における長手方向に向いた中央部よりもわずかに下方部分に、肩ベルトの長手方向に沿って、間隔を置いて略平行に切り込み３０４を入れ、この切り込み３０４を介して、本体部３０１とクッション材４間にパイプ材６を挿装している。
【００２２】
そして、このパイプ材５を貫通しつつ、ベルト本体２には、略Ｄ型とした環体（以下単に「Ｄ環」という。）が装着されている。即ち、図において７がＤ環であり、本実施例においてこのＤ環７は、全体を金属等の硬質素材により形成しており、直線部７０１と、この直線部７０１の両端部を略円弧状に連通した連通部７０２により構成され、全体を略Ｄ型状としている。そして、直線部７０１が前記パイプ材６を貫通する配置でＤ環７をパイプ材６に係止し、これにより、ベルト本体２にＤ環７を装着している。この状態を示した図が図３及び図４であり、図３は、Ｄ環７の近傍の縦断側面を示しており、また、図４は、Ｄ環７の近傍の正面を示している。
【００２３】
このように、本実施例の肩ベルトでは、ベルト本体２にＤ環７を装着しているために、このＤ環７に、防犯ブザーやキーホルダー、マスコット等を掛止可能であるとともに、そのとき、本実施例の肩ベルト１では、単にＤ環７に防犯ブザー等を掛止することのみでよいので、取り付け及び取り外しが容易である。また、防犯ブザー等を収容可能としたポシェット等の収容体をランドセルの本体等に装着する場合と比較してコストを抑えることも可能である。
【００２４】
更に、Ｄ環７の装着に際しては、まず、パイプ材６を表地３とスポンジ５間に挿装して、このパイプ材６を貫通しつつＤ環７をパイプ材６に係止してベルト本体２に装着しているため、パイプ材６により表地３を補強することができ、例えばＤ環７が強く引っ張られた場合でも表地３が切れてしまうことを有効に防止することが可能である。
【００２５】
更にまた、本実施例においては、全体を硬質素材により形成した環体を使用しているために、例えばチェーン、紐等を肩ベルトに装着した場合と異なり、環体が揺れてしまい邪魔になることもない。
【００２６】
なお、前述の実施例ではＤ環７を１個装着した場合について説明したが、Ｄ環７の数は１個には限定されず、２個以上としてもよい。例えば、図５に示す肩ベルト１１ではＤ環７を上下二段に２個装着した形態としており、図６に示す肩ベルト２１では、Ｄ環７を上下二段に３個装着した形態としている。そして、これによれば、１本の肩ベルトに複数個の防犯ブザー、マスコット等を係止することが可能となる。
【００２７】
また、前記パイプ材６は、必ずしも、肩ベルト１の長手方向に直交する方向に向けて挿装する必要はなく、図７に示す肩ベルト３１のように、ベルト本体２の長手方向と同一方向に向けて挿装してもよく、かかる場合においても、パイプ材６及びこのパイプ材６に係止するＤ環７の数は、１個には限定されず、２個以上にしてもよい。
【産業上の利用可能性】
【００２８】
本考案では、パイプ材を介して肩ベルトにＤ環を装着しているために、背負い鞄に用いる肩ベルト全般に適用可能である。
【図面の簡単な説明】
【００２９】
【図１】本考案の肩ベルトの実施例を示す正面図である。
【図２】図１におけるＡ−Ａ線断面図である。
【図３】Ｄ環近傍における縦断側面を示す図である。
【図４】Ｄ環近傍における正面を示す図である。
【図５】本考案の肩ベルトの他の形態を示す正面図である。
【図６】本考案の肩ベルトの他の形態を示す正面図である。
【図７】本考案の肩ベルトの他の形態を示す正面図である。
【符号の説明】
【００３０】
１    肩ベルト
２    ベルト本体
３    表地
３０１    表地の本体部
３０２    表地の連結部
３０３    ベルト孔
３０４    表地に形成した切り込み
４    裏地
５    クッション材（スポンジ）
６    パイプ材
７    Ｄ環
７０１    直線部
７０２    連通部
８    連結部
９    ビス
【図１】
0003114386.tif 000003
【図２】
0003114386.tif 000004
【図３】
0003114386.tif 000005
【図４】
0003114386.tif 000006
【図５】
0003114386.tif 000007
【図６】
0003114386.tif 000008
【図７】
0003114386.tif 000009